(57)【要約】【課題】耕耘部の取付けを簡単且つ廉価な構成によって楽に行うことができるロータリ耕耘装置を提供する。【解決手段】ロータリ耕耘装置１の耕耘軸１２を、伝動ケース９側に軸支される駆動軸２０のフランジ２２と、サイドフレーム１０側に軸支される支持軸２１のフランジ２２ａに、着脱自在に取付けるようにしたサイドドライブ式ロータリ耕耘装置であって、前記耕耘軸１２の両端に係合部材２５を設け、該係合部材２５を伝動ケース９側に設けた被係合部材と、サイドフレーム１０側に設けた被係合部材に係合自在となし、上記係合部材２５を被係合部材に載置させて耕耘軸１２を取付け位置に保持可能に構成した。【選択図】図３
2009178150.tif 000002
【特許請求の範囲】
【請求項１】
ロータリ耕耘装置（１）の耕耘軸（１２）を、伝動ケース（９）側に軸支される駆動軸（２０）のフランジ（２２）と、サイドフレーム（１０）側に軸支される支持軸（２１）のフランジ（２２ａ）に、着脱自在に取付けるようにしたサイドドライブ式ロータリ耕耘装置において、前記耕耘軸（１２）の両端に係合部材（２５）を設け、該係合部材（２５）を伝動ケース（９）側に設けた被係合部材と、サイドフレーム（１０）側に設けた被係合部材に係合自在となし、上記係合部材（２５）を被係合部材に載置させて耕耘軸（１２）を取付け位置に保持可能に構成したサイドドライブ式ロータリ耕耘装置。
【発明の詳細な説明】
【技術分野】
【０００１】
本発明は、農用トラクタに装着されるサイドドライブ式ロータリ耕耘装置に関り、詳しくは耕耘爪を有する耕耘軸を駆動軸と支持軸に簡単に取付けることができるサイドドライブ式ロータリ耕耘装置に関する。
【背景技術】
【０００２】
従来、サイドドライブ式ロータリ耕耘装置に複数の耕耘爪を植設した耕耘軸を有する耕耘部を取付けるに当たり、伝動ケース側に軸支される駆動軸のフランジと、サイドフレーム側に軸支される支持軸のフランジに、耕耘軸の両端に設けた軸端フランジを、凹凸嵌合する係合手段を介して合致させた仮支持状態で両者にボルトを挿入し締着することにより、耕耘部の取付作業を行なうようにしたロータリ耕耘装置が既に公知である（例えば、特許文献１参照。）。
上記ロータリ耕耘装置の係合手段は、駆動軸側のフランジに突設した先端が半円で細板形に形成した凸状部を水平位置に固定し、該凸状部に対し耕耘軸の軸端フランジに外周縁から回動軸心部に向かって先どまりとなるように穿設した凹状部を、耕耘軸を水平に持ち上げることにより嵌合させると共に、他方の支持軸側のフランジに形成した凸状部に、耕耘軸の軸端フランジに穿設した凹状部を嵌合させた状態で、耕耘軸の両端を同時に平行に押し込んで取付位置に仮固定したのち、ボルトを挿入し締着することにより耕耘部を取付ける構成としている。
【特許文献１】実公昭５５−３９９２４号公報
【発明の開示】
【発明が解決しようとする課題】
【０００３】
上記特許文献１に示されるロータリ耕耘装置は、駆動軸のフランジと、支持軸のフランジに設けた凸状部に対し、耕耘軸の軸端フランジに穿設した凹状部を挿入系合させ、耕耘部を仮固定した状態でボルトを挿入締着するので、オペレータが一人作業で耕耘部の脱着や代掻きロータとの交換を行うことができる利点がある。
然し、上記耕耘部の係合手段は、駆動軸を回動させて水平位置に固定した凸状部と、支持軸側の凸状部に対し、耕耘軸の両軸端フランジに穿設した凹状部を同時に平行に押し込む際に、重量のある耕耘部を耕耘軸が水平になるように持ち上げることは、一人作業で行なう場合に大きな労力と何回かのやり直しを必要とする。また駆動軸側の凸状部を水平位置に固定する作業は、駆動軸を動力的に回動させて行なうので固定位置に定める操作が煩雑である等の欠点がある。
さらに、各フランジと軸端フランジには、凸状部と凹状部とを切削による精度の高い機械加工をそれぞれ必要とするので、係合手段の製作が煩雑でコスト高になると共に、凸状部と凹状部を位置決めし平行に押し込む作業が困難である等の問題がある。
【課題を解決するための手段】
【０００４】
上記課題を解決するために本発明のサイドドライブ式ロータリ耕耘装置は、ロータリ耕耘装置１の耕耘軸１２を、伝動ケース９側に軸支される駆動軸２０のフランジ２２と、サイドフレーム１０側に軸支される支持軸２１のフランジ２２ａに、着脱自在に取付けるようにしたサイドドライブ式ロータリ耕耘装置において、前記耕耘軸１２の両端に係合部材２５を設け、該係合部材２５を伝動ケース９側に設けた被係合部材と、サイドフレーム１０側に設けた被係合部材に係合自在となし、上記係合部材２５を被係合部材に載置させて耕耘軸１２を取付け位置に保持可能に構成したことを特徴としている。
【発明の効果】
【０００５】
本発明によるサイドドライブ式ロータリ耕耘装置は次のような効果を奏する。耕耘軸の左右端に設ける係合部材をロータリ耕耘装置の左右側に設けた被係合部材に簡単に載置させることができると共に、耕耘軸の左右高さを同じとなす略水平姿勢に保持することができるので、１人作業によるボルトの挿入締着を行い易くし耕耘部の取付けを能率よく楽に行うことができる。また耕耘部の着脱構造を簡潔で廉価な構成にすることができる。
【発明を実施するための最良の形態】
【０００６】
本発明の一実施形態を図面に基づいて説明する。図１,図２において符号１はサイドドライブ式ロータリ耕耘装置（以下単にロータリ耕耘装置と言う）であり、農業用のトラクタ２の後部に設置されるトップリンク及び左右のロワーリンク等からなる３点リンク方式の昇降機構３に、オートヒッチ４を介して着脱自在に装着される。このロータリ耕耘装置１は機幅中央部にトラクタ２のＰＴＯ軸５と接続するギヤケース６を備えており、該ギヤケース６の左右に筒状の伝動ケース７とアームケース８を固設し、各ケースの端部にチェンケース９とサイドフレーム１０を一体的に固設している。そして、チェンケース９とサイドフレーム１０との下部の間で耕耘部１１の耕耘軸１２の両端を後述する軸支構造によって着脱自在に取付けることができるようにしている。
またロータリ耕耘装置１はチェンケース９とサイドフレーム１０の間に、天板カバー１２と左右の側部カバー１３，１３とからなるロータリカバー１５を設けて耕耘部１１の上部及び側部を覆っている。１６は天板カバー１２の後部に上下回動自在に軸着されるリヤカバーである。
【０００７】
上記耕耘部１１は、耕耘軸１２の軸上に複数の耕耘爪１７を着脱可能に植設し両軸端に鍔状の軸端フランジ１９を設けており、前記チェンケース９とサイドフレーム１０に回転自在に軸支される駆動軸２０と支持軸２１のそれぞれに形成したフランジ２２，２２ａに対し、両側の軸端フランジ１９を複数のボルト２３を挿入し締着することによって着脱自在に取付けることができるようにしている。
また耕耘部１１は耕耘軸１２の両端に係合部材２５を設け、且つ該係合部材２５は上記フランジ２２，２２ａを被係合部材となして係合自在としている。これにより駆動軸２０と支持軸２１に対する耕耘軸１２の着脱作業を簡単に行うことができるようにしている。
【０００８】
次に図３,図４を参照しチェンケース９に対する耕耘軸１２の軸支構造について説明する。チェンケース９は下部の左右にベアリング２６，２７を嵌挿しており、該ベアリング２６，２７に駆動軸２０を回転自在に軸支させている。そして、駆動軸２０はベアリング２６，２７の間に従動スプロケット２９を軸装しており、該従動スプロケット２９と前記ギヤケース５から伝動ケース７を介して伝動される図示しない駆動スプロケットとに巻き掛けられるチェン２９ａによって、従動スプロケット２９及び駆動軸２０を介し耕耘部１１を回転駆動することができる。尚、駆動軸２０の駆動及び停止は、トラクタ２側に設けられるＰＴＯクラッチ手段の操作によって行なわれる。
【０００９】
上記構成において図示例のチェンケース９は、右側壁に円形状のホルダ３０を取付固定しており、該ホルダ３０の軸孔に前記ベアリング２７とシール部材３１を内嵌支持している。そして、ホルダ３０は鍔部の外側面に凹入形成したフランジ穴に、前記駆動軸２０のフランジ２２を、わずかな隙間Ｈを有し所定深さ遊嵌した状態で回転自在としている。
これにより駆動軸２０はフランジ２２をホルダ３０の側面から耕耘部１１側に一部突出させ、その側面に耕耘軸１２の軸端フランジ１９を接当させると共に、該フランジ２２の突出外周面（被係合部材）に、軸端フランジ１９に設ける係合部材２５を係合させるようにしている。
【００１０】
また図４で示すように軸端フランジ１９は、４本のボルト２３を挿入するボルト孔を左右対称位置に振り分けて穿設しており、左右のボルト孔中間位置の一側面に外向きＬ字状に屈曲形成した係合部材２５の基部を固設している。この係合部材２５は屈曲させた内面がフランジ２２の外周面に合致する広幅円弧状面に形成している。尚、上記フランジ２２は上記各ボルト２３を螺挿するネジ穴を軸端フランジ１９のボルト孔に対応する位置に形成している。
【００１１】
また軸端フランジ１９をフランジ２２にボルト２３で締着した接合状態において、係合部材２５の内面はフランジ２２の外周面からわずかな隙間Ｌを有して離間し、係合部材２５が耕耘軸１２の回転を妨げないようにしている。そして、係合部材２５はフック部２５ａの端面を前記隙間Ｈに近接して対面させており、これにより係合部材２５は隙間Ｈに入り込もうとする土や屑類を掻き落としこれらの侵入を防止し、またホルダ３０に対する藁屑や雑草等侵入も抑制することができる。
【００１２】
耕耘軸１２の右側の軸支構造は図２に示すように、支持軸２１をサイドフレーム１０の下部に固設したホルダ３０ａに、左側のものと同様な軸支構造によって図示しない左右のベアリングを介して回転自在に軸支している。そして、耕耘軸１２の右端側に設ける軸端フランジ１９は、左側のものと同様な係合部材２５を対称位置に突設しており、支持軸２１のフランジ２２ａに対しボルト２３によって着脱自在に締着固定される。
【００１３】
次に上記のように構成したロータリ耕耘装置１の耕耘部取付作業について説明する。先ずオペレータはＰＴＯクラッチ手段によってロータリ耕耘装置１に対する伝動を切り状態に操作し、且つ耕耘部１１が外された状態にあるロータリ耕耘装置１を、昇降機構３を介し図１の２点鎖線Ａで示す耕耘部取付け高さ位置となるように地表から離間させた取付作業高さに支持する。
そして、取付ける耕耘部１１はロータリ耕耘装置１の後方の地表において、耕耘軸１２が駆動軸２０のフランジ２２と支持軸２１のフランジ２２ａとの間に位置するように配設した状態となし、耕耘部１１を矢印方向の前方側に転がして、前記耕耘軸１２の左右端の係合部材２５が、２点鎖線Ｂで示すように左右のフランジ２２，２２ａの外周面に対し接当し、該外周面に後方から上方頂点部に乗り上げる係合開始位置に置く。
【００１４】
次いで、上記係合開始位置において後方から両手で左右の耕耘爪１７を掴み、耕耘部１１を持ち上げ方向に前方転がすように移動させると、左右の係合部材２５は外周面に沿って移動しフランジ２２，２２ａの頂点部に簡単に乗り上り係合する。
このとき係合部材２５はフック部２５ａの円弧状内面が、フランジ２２とフランジ２２ａの外周面の頂点部に合致し載置された状態になるので、耕耘軸１２の左右高さを同じとなす略水平姿勢において、耕耘部１１を前後方向の外れを防止して安定よく吊り下げ保持した仮支持状態にすることができる。
【００１５】
次に、上記耕耘部１１を仮支持状態に保持する別作業態様について説明する。この例では先ず昇降機構３を介し耕耘部１１を、前記図１の２点鎖線Ａで示す耕耘部取付け高さ位置よりやや低い取付作業高さに支持する。次いで、ロータリ耕耘装置１の後方に配置される耕耘部１１を前方側に転がし、耕耘軸１２の係合部材２５，２５が左右のフランジ２２，２２ａの直上に位置するように置く。次いで昇降機構３を操作しロータリ耕耘装置１を上昇させて、下方からフランジ２２，２２ａを係合部材２５，２５に接当させ、耕耘部１１を地表から少し持ち上げた位置で停止させる。これにより耕耘部１１をより簡単に吊り下げ保持した仮支持状態にすることができる。
【００１６】
次いで、上記のように保持された耕耘部１１のボルト締着作業を行う。先ずオペレータは耕耘部１１の左側を片手で持ち上げながら、他方の手で伝動切り状態にある駆動軸２０をフランジ２２の突出部を把持して回動し、該フランジ２２のネジ穴を軸端フランジ１９のボルト孔に一致させ、ボルト２３を各ボルト孔からネジ穴に挿入し締着する。
【００１７】
同様に耕耘部１１の右側を片手で持ち上げた状態で、他方の手で支持軸２１をフランジ２２ａの突出部を把持して回動させることにより、該フランジ２２ａのネジ穴を軸端フランジ１９のボルト孔に一致させ、ボルト２３を各ボルト孔からネジ穴に挿入し締着する。このようにしてボルト締着作業を行ったのち、各ボルト２３の増し締め確認を行なうと、一連の耕耘部取付作業を完了することができる。
そして、上記のようにして取付けた耕耘部１１をロータリ耕耘装置１から取り外す場合には、ロータリ耕耘装置１を昇降機構３を介し前記耕耘部取付け高さ位置又は耕耘部１１を地面に接地させた状態にすると、前記取付作業の逆順の作業によって耕耘部１１を簡単に取り外すことができる。
【００１８】
以上のように構成されるロータリ耕耘装置１は、前記耕耘軸１２の両端に係合部材２５を設け、該係合部材２５を伝動ケース９側に設けた被係合部材と、サイドフレーム１０側に設けた被係合部材に係合自在となし、上記係合部材２５を被係合部材に載置させて耕耘軸１２を取付け位置に保持可能に構成したことにより、耕耘部１１の取付作業を行なうとき、耕耘部１１は耕耘軸１２の左右端に設けた係合部材２５が左右のフランジ２２，２２ａに接当し、フランジ２２，２２ａの外周面の頂点部に合致し載置されるので、耕耘軸１２の左右高さを同じとなす略水平姿勢に保持することができる。
【００１９】
従って、オペレータは保持状態にある耕耘部１１の一側を、略同じ高さにある他側を支点とし片手で楽に持ち上げることができ、他方の手で両者にボルト２３を簡単に挿入締着することができるので、一人作業による耕耘部１１の取付けを能率よく楽に行うことができる。
尚、実施形態では駆動軸２０及び支持軸２１のフランジ２２を被係合部材として、これに係合部材２５を係合させる例を示したが、ホルダ３０を被係合部材としてもよく、また駆動軸２０及び支持軸２１の近傍で、ロータリカバー１５側に設けた突起状物を被係合部材にすることもできる。この場合も前記のものと同様な作業によって耕耘部１１の着脱を行うことができる。
【図面の簡単な説明】
【００２０】
【図１】本発明による耕耘部の取付作業を示すロータリ耕耘装置の側面図である。
【図２】図１のロータリ耕耘装置に耕耘部を取付けた状態を示す背面図である。
【図３】図２のロータリ耕耘装置のチェンケース側に耕耘部を取付けた構成を一部破断をして示す背面図である。
【図４】図３の軸端フランジとフランジとの接合状態を示す側面図である。
【符号の説明】
【００２１】
１    サイドドライブ式ロータリ耕耘装置（ロータリ耕耘装置）
２    トラクタ
９    伝動ケース
１０  サイドフレーム
１１  耕耘部
１２  耕耘軸
１９  軸端フランジ
２０  駆動軸
２１  支持軸
２２，２２ａ  フランジ
２３  ボルト
２５  係合部材
２５ａ  フック部
３０  ホルダ
【図１】
2009178150.tif 000003
【図２】
2009178150.tif 000004
【図３】
2009178150.tif 000005
【図４】
2009178150.tif 000006